(57)【要約】【課題】リジェクト庫の開閉扉の開放時には、セット部からの紙葉類の取り出しを停止した状態とし、リジェクト券をリジェクト庫内に良好に集積できるようにする。【解決手段】セット部にセットされたヘッダーカード及び券を取り込む取込部８と、この取込部８によって取り込まれたヘッダーカード及び券を搬送する搬送路と、この搬送路によって搬送される券がリジェクトすべきものであるか否かを判別する判別部と、この判別部を通過したヘッダーカードのバーコードを読み取るバーコードリーダと、このバーコードリーダによってバーコードが読み取られたヘッダーカード４１及びリジェクトすべきであると判別された券を順次集積させるリジェクト庫１６と、このリジェクト庫１６を開閉する開閉扉６０と、この開閉扉６０の開閉を検出する検知センサ６５と、この検知センサ６５が開閉扉６０の開放を検出するのに基づいて取込部８の取込動作を停止するように制御する制御部６７とを具備する。【選択図】図６
2007140939.tif 000002
【特許請求の範囲】
【請求項１】
紙葉類を複数枚重ね合わせた複数の紙葉類と、これら複数の紙葉類の先頭にそれぞれ重ね合わされ、前記紙葉類の情報を表示する表示部を有するヘッダーカードをセットするセット部と、
このセット部にセットされた前記ヘッダーカード及び紙葉類を取り込む取込手段と、
この取込手段によって取り込まれた前記ヘッダーカード及び紙葉類を搬送する搬送手段と、
この搬送手段によって搬送される前記紙葉類がリジェクトすべきものであるか否かを判別する判別手段と、
この判別手段を通過した前記ヘッダーカードの表示部を読み取る読取手段と、
この読取手段によって表示部が読み取られた前記ヘッダーカード及び前記リジェクトすべきであると判別された紙葉類を順次集積させるリジェクト庫と、
このリジェクト庫を開閉する開閉扉と、
この開閉扉の開閉を検出する検出手段と、
この検出手段が前記開閉扉の開放を検出するのに基づいて前記取込手段の取込動作を停止するように制御する制御手段と
を具備することを特徴とする紙葉類処理装置。
【請求項２】
紙葉類を複数枚重ね合わせた複数の紙葉類と、これら複数の紙葉類の先頭にそれぞれ重ね合わされ、前記紙葉類の情報を表示する表示部を有するヘッダーカードをセットするセット部と、
このセット部にセットされた前記ヘッダーカード及び紙葉類を取り込む取込手段と、
この取込手段によって取り込まれた前記ヘッダーカード及び紙葉類を搬送する搬送手段と、
この搬送手段によって搬送される前記紙葉類がリジェクトすべきものであるか否かを判別する判別部と、
この判別部を通過した前記ヘッダーカードの表示部を読み取る読取手段と、
この読取手段によって表示部が読み取られた前記ヘッダーカード及び前記リジェクトすべきであると判別された紙葉類を順次集積させるリジェクト庫と、
このリジェクト庫を開閉する開閉扉と、
前記開閉扉の外側近傍に設けられ、前記開閉扉に近接する近接体を検出する検出手段と、
この検出手段が前記近接体を検出するのに基づいて前記取込手段の取込動作を停止するように制御する制御手段と
を具備することを特徴とする紙葉類処理装置。
【請求項３】
前記開閉扉をロックするロック手段と、
前記取込手段の取込動作停止後、前記搬送手段によって搬送される紙葉類のうちリジェクトすべきものと判別された最後の紙葉類が前記リジェクト庫に入りきったことを検出する検出手段とを具備し、
前記制御手段は前記検出手段が前記最後の紙葉類を検出するのに基づいて前記ロック手段のロックを解除するように制御することを特徴とする請求項２記載の紙葉類処理装置。
【請求項４】
前記開閉扉をロックするロック手段と、
前記取込手段の取込動作停止後、前記ロック手段のロックを解除させる解除手段と
を具備することを特徴とする請求項２記載の紙葉類処理装置。
【請求項５】
前記開閉扉を開閉させる駆動手段を備え、
前記解除手段による前記ロック手段のロック解除後、前記駆動手段を動作させて前記開閉扉を開放させることを特徴とする請求項４記載の紙葉類処理装置。
【発明の詳細な説明】
【技術分野】
【０００１】
本発明は、例えば、紙幣などの紙葉類を計数するとともに、その種類に応じて区分集積する紙幣整理機として適用される紙葉類処理装置に関する。
【背景技術】
【０００２】
この種の紙幣整理機では、袋や封筒に入れられて送られてくる紙幣をオペレータが袋や封筒から取り出して取込部にセットすると、このセットされた紙幣を１枚ずつ取り出して判別部に送り、ここで、その券種を判定するとともに、判定結果を集計することによって合計金額を得るようになっている。
【０００３】
計数する紙幣は例えばスーパーマーケット等の銀行顧客から銀行に対する入金現金であり、入金伝票が添付されるか、あるいは袋や封筒に口座番号や金額といった情報が記入されている。紙幣整理機では、袋または封筒の単位で紙幣の計数結果と入金伝票の金額を比較確認する。
【０００４】
従来、計数を入金毎（バッチ毎）に行う方法としては、１入金毎に袋や封筒を開封して紙幣を取り出し、この取り出した紙幣を取込部にセットして入金伝票の内容をインプットし、計数処理を行う方法がある。
【０００５】
しかしながら、この方法では、装置のオペレータが袋や封筒を開封し、紙幣をセットする間は計数装置が停止した状態となるため、スループットが低くなるという問題があった。
【０００６】
そこで、予め入金伝票の内容との関係を登録した番号をバーコード等にて印刷したヘッダーカードを各入金間に挟んだ状態で取込部にセットし、このセットした紙幣を連続的に取込んで計数している。即ち、ヘッダーカードを入金の区切りとして認識し、かつ表面のバーコードを読み取って計数と対応させることで、個別の計数を得る方法が考えられている。
【０００７】
ところで、上記したヘッダーカード、及びリジェクトすべきものであると判別された紙幣は、それぞれリジェクト庫に集積されるようになっている。なお、リジェクト庫に集積されたヘッダカード及び紙幣をリジェクト券と称する（例えば、特許文献１参照。）。
【特許文献１】特開平８−３０８３５号公報
【発明の開示】
【発明が解決しようとする課題】
【０００８】
しかしながら、従来においては、リジェクト庫の開閉扉を開放した状態でも、取出部の動作を継続させていたため、開閉扉を開放したタイミングでリジェクト券がリジェクト庫に進入してくると、リジェクト券が飛散したり、集積が悪くなって余計に入り繰りの発生する可能性が高くなる。
【０００９】
本発明は上記事情に着目してなされたもので、その目的とするところは、リジェクト庫の開閉扉の開放時には、セット部からの紙葉類の取り出しを停止した状態とし、リジェクト庫内にリジェクト券を良好に集積できるようにした紙葉類処理装置を提供することにある。
【課題を解決するための手段】
【００１０】
上記課題を解決するため、請求項１記載のものは、紙葉類を複数枚重ね合わせた複数の紙葉類と、これら複数の紙葉類の先頭にそれぞれ重ね合わされ、前記紙葉類の情報を表示する表示部を有するヘッダーカードをセットするセット部と、このセット部にセットされた前記ヘッダーカード及び紙葉類を取り込む取込手段と、この取込手段によって取り込まれた前記ヘッダーカード及び紙葉類を搬送する搬送手段と、この搬送手段によって搬送される前記紙葉類がリジェクトすべきものであるか否かを判別する判別手段と、この判別手段を通過した前記ヘッダーカードの表示部を読み取る読取手段と、この読取手段によって表示部が読み取られた前記ヘッダーカード及び前記リジェクトすべきであると判別された紙葉類を順次集積させるリジェクト庫と、このリジェクト庫を開閉する開閉扉と、この開閉扉の開閉を検出する検出手段と、この検出手段が前記開閉扉の開放を検出するのに基づいて前記取込手段の取込動作を停止するように制御する制御手段とを具備する。
【００１１】
請求項２記載のものは、紙葉類を複数枚重ね合わせた複数の紙葉類と、これら複数の紙葉類の先頭にそれぞれ重ね合わされ、前記紙葉類の情報を表示する表示部を有するヘッダーカードをセットするセット部と、このセット部にセットされた前記ヘッダーカード及び紙葉類を取り込む取込手段と、この取込手段によって取り込まれた前記ヘッダーカード及び紙葉類を搬送する搬送手段と、この搬送手段によって搬送される前記紙葉類がリジェクトすべきものであるか否かを判別する判別部と、この判別部を通過した前記ヘッダーカードの表示部を読み取る読取手段と、この読取手段によって表示部が読み取られた前記ヘッダーカード及び前記リジェクトすべきであると判別された紙葉類を順次集積させるリジェクト庫と、このリジェクト庫を開閉する開閉扉と、前記開閉扉の外側近傍に設けられ、前記開閉扉に近接する近接体を検出する検出手段と、この検出手段が前記近接体を検出するのに基づいて前記取込手段の取込動作を停止するように制御する制御手段とを具備する。
【発明の効果】
【００１２】
本発明によればリジェクト庫の開閉扉の開放時にはリジェクト庫への紙葉類の進入を防止でき、バッチ間の紙葉類の混入を未然に防止することができる。
【発明を実施するための最良の形態】
【００１３】
以下、本発明を図面に示す実施の形態を参照して詳細に説明する。  
【実施例１】
【００１４】
図１は本発明の実施例１による紙葉類処理装置としての紙幣整理機１の内部構成を概略的に示すものである。
【００１５】
紙幣整理機１は装置本体１ａを有し、この装置本体１ａの一側部側には紙葉類としての紙幣（以下、券と称することもある）を投入する投入部２が設けられている。この投入部２には投入される複数枚の重合紙幣Ｐａを立位状態で載置するセット部としての載置トレイ３が設けられている。この載置トレイ３には重合紙幣Ｐａを押出す押出プレート５が設けられ、この押出プレート５はバネ材６によって弾性的に付勢されている。重合紙幣Ｐａの押出方向には紙幣を取り込むための取込手段としての取込部８が設けられている。取込部８はピックアップローラ９、取出ローラ１０、及び分離ローラ７を有して構成されている。
【００１６】
取出ローラ１０によって取り出される紙幣は第１の搬送経路（搬送手段）１１に沿って搬送される。この第１の搬送経路１１は複数個のローラ１２と、これらローラ１２に掛け渡された搬送ベルト１３，１３とによって構成されている。この第１の搬送経路１１の券搬出側には、紙幣Ｐの金種、表裏、真偽等を識別する判別手段としての処理部１５が設けられている。処理部１５の搬出側には正券を第１の方向、リジェクト券を第２の方向に切り替える第１の切替ゲートＧ１が設けられている。第２の方向に送られるリジェクト券は、リジェクト庫１６に回収されるようになっている。第１の切替ゲートＧ１によって切り替えられる第１の方向には第２の切替ゲートＧ２が設けられている。この第２の切替ゲートＧ２によって券の搬送方向が第３及び第４の方向に切り替えられる。第３の方向には表向きの券を搬送する第２の搬送経路１８が設けられ、第４の方向には裏向きの券を搬送して反転部１９で反転させる第３の搬送経路２１が設けられている。
【００１７】
第２の搬送経路１８と第３の搬送経路２１とは合流部２３で合流され、合流部２３の券搬出側には第３の切替ゲートＧ３が設けられている。第３の切替ゲートＧ３は券の搬送方向を結束部２５側及び集積部２６側へ切り替えるものである。集積部２６には複数個の集積庫２８ａ〜３３ａが水平方向に配設されている。複数個の集積庫２８ａ〜３３ａの下部側には集積紙幣を収納させるカセット２８ｂ〜３３ｂが配設されている。また、複数個の集積庫２８ａ〜３３ａの上部側には券をその券種毎に集積庫２８ａ〜３３ａへ案内する第５乃至第９の切替ゲートＧ５〜Ｇ９が配設されている。
【００１８】
結束部２５には券の搬送方向を第５及び第６の方向に切り替える第４の切替ゲートＧ４が設けられている。第５の方向には第１の集積庫３５が設けられ、第６の方向には第２の集積庫３６が設けられている。第１及び第２の集積庫３５，３６の下部側には第１及び第２の集積庫３５，３６に集積された券を結束位置３７へ搬送する搬送機構３９が設けられている。結束位置３７の近傍には結束テープを供給する供給リール３８が設けられている。
【００１９】
次に、上記した紙幣整理機の処理動作について説明する。
【００２０】
まず、紙幣整理機の操作部（図示しない）によって計数分類処理モード或いは、結束処理モードを設定する。
【００２１】
この状態から取込部８のピックアップローラ９、取出ローラ１０、及び分離ローラ７を回転駆動する。これにより、図２に示すように紙幣Ｐが一枚づつ取込まれて供給される。この紙幣Ｐは第１の搬送経路１１を介して処理部１５へ送られて識別される。処理部１５でリジェクトすべきものであると識別された紙幣は第１の切替ゲートＧ１を介してリジェクト庫１６へリジェクトされる。処理部１５で正券と識別され、かつ反転する必要ないと識別された紙幣は第２の切替ゲートＧ２を介して第２の搬送経路１８へ送られて搬送される。処理部１５で正券と識別され、かつ反転する必要があると識別された紙幣は第２の切替ゲートＧ２を介して第３の搬送経路２１へ送られて反転されて搬送される。これら紙幣は合流部２３を通過して第３の切替ゲートＧ３へ向かって搬送される。
【００２２】
上記した操作部によって、例えば、計数分類処理モードが設定された場合には、第３の切替ゲートＧ３の切替動作によって紙幣は集積部２６の方向に搬送され、切替ゲートＧ５〜Ｇ９の切替動作によりその券種に応じた集積庫２８ａ（〜３３ａ）に区分集積される。集積庫２８ａ（〜３３ａ）に紙幣が所定枚数集積されると、図示しない押込機構によって集積紙幣はカッセト２８ｂ（〜３３ｂ）内に押し込まれて収納される。
【００２３】
また、操作部によって、結束処理モードが設定された場合には、第３の切替ゲートＧ３の切替動作によって紙幣は結束部２５の第４の切替ゲートＧ４の方向に搬送され、切替ゲートＧ４の切替動作によりその第１或いは第２の集積庫３５，３６に集積される。第１或いは第２の集積庫３５，３６に紙幣が所定枚数集積されると、搬送機構３９により結束位置３７に搬送されて結束テープ３８ａにより結束される。
【００２４】
図３は、上記した投入部２の載置トレイ３上に立位状態でセットされる重合紙幣Ｐａを示すものである。
【００２５】
重合紙幣Ｐａは複数の紙葉類としての第１及び第２の紙幣群Ｐ１，Ｐ２とからなる。第１の紙幣群Ｐ１と第２の紙幣群Ｐ２との間はヘッダーカード４１とトレーラーカード４２とによって仕切られている。ヘッダーカード４１には紙幣群Ｐ１，Ｐ２の識別情報番号を表示する表示部としてのバーコード４１ａが印刷されている。
【００２６】
一方、上記した処理部１５の券排出側には図４に示すようにヘッダーカード４１の識別情報としてのバーコード４１ａを読み取るための読取手段としてのバーコードリーダ４５が設けられている。バーコードリーダ４５及び処理部１５は制御回路５０を介して後述するデータベースサーバー５３に接続されている。
【００２７】
バーコード４１ａが読み取られたヘッダーカード４１は、第１の切替ゲートＧ１を介してリジェクト庫１６に送られる。また、ヘッダーカード４１に続いて取り込まれた紙幣Ｐが処理部１５でリジェクトすべきものと判別された場合には、リジェクト庫１６にリジェクトされ、この紙幣は対応するヘッダーカード４１の上に集積されることになる。
【００２８】
処理部１５で処理された第１の紙幣群Ｐ１の金額、枚数等のデータはヘッダーカード番号と対応して後述するデータベースサーバー５３に書き込まれる。
【００２９】
図５はヘッダーカード４１の処理システムを示す構成図である。
【００３０】
この処理システムは準備ステーション５１を有し、この準備ステーション５１は信号回路を介してデータベースサーバー５３に接続されている。また、データベースサーバー５３には上記した紙幣整理機１が接続されているとともに、リジェクト処理ステーション５４が接続されている。
【００３１】
準備ステーション５１は、ヘッダーカード４１の番号をバーコードリーダ５１ａで読取り、口座番号（バーコード使用の場合有り）、伝票金額、入金紙幣の枚数を入力（オプショナル）し、このデータをデータベースサーバー５３へ送信するとともに、オペレータ番号を入力するものである。
【００３２】
紙幣整理機１は、上記したように紙幣計数、券種分け、方向合わせ、結束、ヘッダーカード４１の読取（搬送中に実施）、データのデータベースサーバー５３への送信を行うものである。
【００３３】
リジェクト手入力ステーション５４は、ヘッダーカード番号の読取および手入力、紙幣枚数の入力、偽券情報の入力（券が偽券の場合に、その旨を登録）を行うものである。
【００３４】
データベースサーバー５３はデータベース機能、合算照合機能、及び印刷機能を有する。
【００３５】
データベース機能は、ヘッダーカード番号をキーとして下記データを保持する。
【００３６】
すなわち、カウント番号、伝票金額、機械計数紙幣枚数（複数回登録可能）、手入力紙幣枚数（複数回登録可能）、偽券枚数、コメント文言を保持する。
【００３７】
合算、照合機能は、複数回の機械計数枚数および手入力枚数を合算し、伝票金額との照合を行う。
【００３８】
印刷機能は、合算、照合結果を印刷する。
【００３９】
次に、上記したヘッダーカード４１の処理作業手順について説明する。
【００４０】
まず、オペレータは準備ステーション５１において、カード収納部から1枚目のヘッダーカード４１を取り出し、このヘッダーカード４１の番号をバーコードリーダ５１ａで読み取る。こののち、顧客から送られてきた入金袋を開封して紙幣群を取り出し、この紙幣群の先頭に上記した１枚目のヘッダーカード４１を重ね合わせて紙幣整理機１の投入部２の載置トレイ３上に立位状態で載置する。
【００４１】
ついで、入金袋の伝票に記載されている口座番号（または封筒番号）および金額を準備ステーション５１で入力する。上記した動作を載置トレイ３が満杯になるまで繰り返す。準備ステーション５１で入力されたデータはデータベースサーバー５３に送信されて登録される。
【００４２】
このようにして準備ステーション５１での準備が終了したのち、上記した紙幣整理機１を動作させる。この紙幣整理機１の動作は上記した通りであり、その計数データ及びヘッダーカード番号などはデータベースサーバー５３に送信されて登録される。
【００４３】
一方、リジェクト庫１６にリジェクトされたリジェクト券はヘッダーカード４１との順番が狂わないように注意して別途用意した図示しないトレイに順次収納する。そして、このトレイ内に収納されたリジェクト券を再度、紙幣整理機の載置トレイ３上にセットして取り込み処理する。この処理によって得られた計数データ及びヘッダーカード番号はデータベースサーバー５３に送信されて登録される。
【００４４】
また、上記したリジェクト券の処理動作時に再度リジェクトされた券はリジェクト手入力ステーション５４で手計数によって入力される。このとき、同時にヘッダーカードの番号をバーコードリーダ５４ａで読み込む。
【００４５】
このようにして全てのリジェクト券の処理を終えたら、データベースサーバー５３で計数合算開始操作を行う。これにより、データベースサーバー５３に登録されたデータがヘッダーカード番号をキーとして口座番号毎に合算され、計数値が計算される。
【００４６】
ところで、上記したリジェクト庫１６は図６に示すように開閉扉６０によって開閉されるようになっている。開閉扉６０はスプリングヒンジ等を介して支軸６１に開閉自在に取り付けられ、券の取込中または取込停止中等、任意のタイミングで開放されてリジェクト庫１６内から集積券を取り出すことが出来るように構成されている。この開閉扉６０はリジェクト庫１６内の券の集積状態が外部から目視できるように透明なアクリル等の材質で作成されている。
【００４７】
リジェクト庫１６の集積枚数（厳密には重送等があるので集積回数）は、リジェクト庫１６の入口に設けられた通過検知用の検出手段としての検知センサ６２によってカウントされるようになっている。検知センサ６２が所定数をカウントして券の集積枚数が任意のしきい値を超えたときは、集積不良を未然に防ぐために取込みを止めてブザー鳴動やパイロットランプ点灯等でオペレータに対してリジェクト庫１６内の集積券の抜き取りを促すようになっている。
【００４８】
開閉扉６０の基端部には被検出片６４が設けられ、また、開閉扉６０の基端部の近傍には被検出片６４を検知するフォトインタラプタ等の検出手段としての検知センサ６５が設けられている。開閉扉６０が開放されてると、被検出片６４が検知センサ６５から外れて開放が検知されるようになっている。
【００４９】
検知センサ６５は信号回路を介して制御手段としての制御部６７に接続され、この制御部６７には制御回路を介して駆動モータ６８が接続されている。駆動モータ６８は取込部８の送出ローラ９を回転駆動するものである。制御部６７は検知センサ６５からの開放検知信号に基づいて駆動モータ６８の駆動を停止させて券の取り込みを停止させるように制御する。
【００５０】
リジェクト庫１６にリジェクトされたリジェクト券Ｐは、口座情報と関連付けられた通番を持つヘッダーカード４１によって仕切られており、これによってリジェクト手入力ステーション５４での通番ごとのリジェクト枚数手入力を正確に行えるようになっている。
【００５１】
しかしながら、リジェクト庫１６内のリジェクト券Ｐの集積状態が悪いとヘッダーカード４１で区切られたリジェクト券Ｐにバッチ（通番）を跨った入り繰りが発生し、バッチ単位のリジェクト枚数を誤入力してしまう。この場合には、バッチ単位の入金金額が合わなくなり、入金処理システムとしての信頼性を損なうこととなる。
【００５２】
そこで、リジェクト庫１６内のリジェクト券Ｐの集積状態が悪い場合には、オペレータがリジェクト庫１６の開閉扉６０を開放してリジェクト庫１６内のリジェクト券Ｐの集積状態を修正したり、集積券Ｐを抜き取ったりしている。
【００５３】
しかしながら、開閉扉６０を開放したタイミングでリジェクト券がリジェクト庫１６に進入してくると、リジェクト券が飛散したり、集積状態が悪くなったりして余計に入り繰りの発生してしまう恐れがある。
【００５４】
そこで、この実施の形態では、リジェクト庫１６の開閉扉６０が開放された場合には、上記したように検知センサ６５によってその開放を検知し、この検知情報に基づいて制御部６７によって駆動モータ６８の駆動を停止させる。これにより、取込部８の送出ローラ９の回転が停止されて券の取り込みが停止される。
【００５５】
従って、開閉扉６０の開放時におけるリジェクト庫１６へのリジェクト券の進入を少なくでき、リジェクト券の飛散や集積不良の発生によるバッチ間のリジェクト券入り繰りを極力に防止することが可能となる。
【実施例２】
【００５６】
図７は本発明の実施例２による取込部の駆動制御系を示すものである。
【００５７】
上記した実施例１では、開閉扉６０を開放してから券の取り込みを停止させるため、タイミング的に搬送路中の数枚のリジェクト券がリジェクト庫１６に進入してくる恐れがある。
【００５８】
そこで、この実施例２では、近赤外線の反射センサ等の検出手段としての人感センサ７０を開閉扉６０の近傍に配置している。人感センサ７０には信号回路を介して制御部６７が接続され、この制御部６７には制御回路を介して取出ローラ９の駆動モータ６８が接続されている。
【００５９】
人感センサ７０によってオペレータの手等の接近が検出されると、この検知情報に基づいて駆動モータ６８の駆動が停止されて取出ローラ１０の回転が停止される。
【００６０】
この実施例２によれば、開閉扉６０の開放時には、券の取込み動作が停止された状態にあり、タイミング的により一層確実にリジェクト券の飛散や集積不良の発生を防止でき、バッチ間のリジェクト券の入り繰りを未然に防止することが出来る。
【実施例３】
【００６１】
図８は本発明の実施例３による取込部の駆動制御系を示すものである。
【００６２】
この実施例３は、上記した実施例２で示したものに電磁ロック７３を付加したものである。
【００６３】
電磁ロック７３はプランジャ型の電磁ソレノイド等で構成され、リジェクト庫１６の下部側近傍に設けられている。開閉扉６０の回動端側には係止部７４が設けられ、開閉扉６０が閉じられたとき、その係止部７４にロック手段としての電磁ロック７３のロックピン７３ａが係止されてロックされるようになっている。
【００６４】
この実施例３では、人感センサ７０でオペレータの手等の接近が検出されるのに基づいて取出ローラ１０の回転が停止され、また、取込み中の券のうち最後尾のリジェクト券が検知センサ６２を通過してリジェクト庫１６に入りきったことが検出されるのに基づいて制御部６７により電磁ロック７３のロックが解除されてオペレータによる開閉扉６０の開放を許可する。
【００６５】
従って、この実施例３によれば、リジェクト庫１６へのリジェクト券の集積が完全に終了してから開閉扉６０を開放することになり、リジェクト券の飛散や集積不良の発生によるバッチ間のリジェクト券入り繰りをより一層確実に防ぐことが出来る。
【実施例４】
【００６６】
図９は本発明の実施例４による取込部の駆動制御系を示すものである。
【００６７】
この実施例４は、上記した実施例３で示したものに解除手段としての取込み停止ボタン７７或いはテラーＰＣ７６を付加したものである。
【００６８】
上記した実施例３では、リジェクト券がリジェクト通過センサ６２を通過してリジェクト庫１６に入りきったことが検出されるのに基づいて電磁ロック７３のロックを解除するが、この実施例４では取込み停止ボタン７７或いはテラーＰＣ画面上のタッチパネルを押圧操作することにより電磁ロック７３のロックを解除する。
【００６９】
この実施例４によれば、上記実施例３と同様の作用効果を得ることができる。
【実施例５】
【００７０】
図１０は本発明の実施例５による取込部の駆動制御系を示すものである。
【００７１】
この実施例５は、上記した実施例４に開閉扉６０を開閉させるための駆動手段としての駆動モータ８０を付加したものである。駆動モータ８０は開閉扉６０の支点とタイミングベルト等の駆動ベルト８１を介して接続されている。
【００７２】
この実施例５では、上記した実施例４と同様に人感センサ７０や取込み停止ボタン７７からの信号によって電磁ロック７３のロックを解除するが、この解除時に駆動モータ６８を駆動させて開閉扉６０を自動的に開放させる。
【００７３】
この実施例５によれば、上記したと同様の作用効果を得ることができる。
【００７４】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００７５】
【図１】本発明の実施例１による紙幣整理装置を示す構成図。
【図２】図１の紙幣整理装置の紙幣取込動作を示す図。
【図３】図１の紙幣整理装置の投入部に投入される重合紙幣群を示す斜視図。
【図４】図１の紙幣整理装置のヘッダーカードのバーコードリーダの配置構成を示す図。
【図５】図１の紙幣整理装置で用いられるヘッダーカードの処理システムを示す図。
【図６】図１の紙幣整理装置の取込部の駆動制御系を示す図。
【図７】本発明の実施例２による取込部の駆動制御系を示す図。
【図８】本発明の実施例３による取込部の駆動制御系を示す図。
【図９】本発明の実施例４による取込部の駆動制御系を示す図。
【図１０】本発明の実施例５による取込部の駆動制御系を示す図。
【符号の説明】
【００７６】
Ｐ…紙幣／券（紙葉類）、Ｐ１，Ｐ２…紙葉類群、３…載置トレイ（セット部）、８…取込部（取込手段）、１１…第１の搬送経路（搬送手段）、１５…処理部（判別手段）、１６…リジェクト庫、４１ａ…バーコード（表示部）、４１…ヘッダーカード、４５…バーコードリーダ（読取手段）、６０…開閉扉、６２…検知センサ（検出手段）、６５…検知センサ（検出手段）、６７…制御部（制御手段）、７０…人感センサ（検出手段）、７３…電磁ロック（ロック手段）、７７…取込み停止ボタン（解除手段）、８０…駆動モータ（駆動手段）。
【図１】
2007140939.tif 000003
【図２】
2007140939.tif 000004
【図３】
2007140939.tif 000005
【図４】
2007140939.tif 000006
【図５】
2007140939.tif 000007
【図６】
2007140939.tif 000008
【図７】
2007140939.tif 000009
【図８】
2007140939.tif 000010
【図９】
2007140939.tif 000011
【図１０】
2007140939.tif 000012